(57)【要約】【課題】踵を収納する踵ホルダが靴を履いた状態において確実に保持されるので履き心地にはなんら問題のない靴の踵部分開閉機構を提供することを目的とするものである。【解決手段】Ｌ字形の踵ホルダと、該踵ホルダをその後端部に取り付けた回動軸によって回動可能に保持する踵受け台と、該踵受け台上に設けた前記踵ホルダの足底部を常態で上向きに付勢する踵ホルダ弾性支持部材と、前記踵受け台を前後に移動可能に取り付けた靴踵部を有し、前記踵受け台と靴踵部の前方位置との間に弾性体バネを固着して、前記踵受け台を前方に引き付けるように付勢し、前記踵ホルダ弾性支持部材の下面に設けたフックが、前記靴踵部の上面に設けた前記フックの係合部に係合して前記踵ホルダを正常位置に保持することができるようにした。【選択図】図９
2011234840.tif 000002
【特許請求の範囲】
【請求項１】
靴の踵部分に収納され、足の踵部が保持される足底部と足後部とからなるＬ字形の踵ホルダと、該踵ホルダをその後端部に取り付けた回動軸によって回動可能に保持する踵受け台と、該踵受け台上に設けた前記踵ホルダの足底部を常態で上向きに付勢する踵ホルダ弾性支持部材と、前記踵受け台を前後に移動可能に取り付けた靴踵部を有し、
前記踵受け台と靴踵部の前方位置との間に弾性体バネを固着して、前記踵受け台を前方に引き付けるように付勢し、
前記踵ホルダ弾性支持部材の下面に下向きに設けたフックは、前記踵ホルダの足底部を使用者が踵で踏み込んだ際に、前記靴踵部の上面に設けた前記フックの係合部に係合して前記踵ホルダを正常位置に保持し、
かつ、前記踵受け台を前記弾性体バネの付勢力に抗して後退させて、前記フックを係合部から解放することにより、前記踵ホルダの足底部を前記踵ホルダ弾性支持部材により上方に押し上げて靴の足挿入口を開き、足を靴に納めやすい角度にすることができるようにしたことを特徴とする靴の踵部分開閉機構。
【請求項２】
前記フックの係合部は、靴踵部の上面に配設したガイド部と、該ガイド部間にスライド自在に差し渡した係合ピンと、該係合ピンを常態でフックに向けて付勢するバネとを有することを特徴とする請求項１に記載の靴の踵部分開閉機構。
【請求項３】
前記踵受け台は、左右一対のスライド部を有するＵ字状に形成され、前記靴踵部の上面に形成したスライド溝に進退可能に取り付けられていることを特徴とする請求項１に記載の靴の踵部分開閉機構。
【請求項４】
前記踵ホルダ弾性支持部材は、前記靴踵部と該靴踵部と所定の間隔をおいて配置した弾性体バネの保持バーとの間に介装したのち折り返されていることを特徴とする請求項１に記載の靴の踵部分開閉機構。
【請求項５】
前記靴の後端部分は、前記踵ホルダの回動に伴って伸縮自在としてあることを特徴とする請求項１に記載の靴の踵部分開閉機構。
【発明の詳細な説明】
【技術分野】
【０００１】
本発明は靴を着脱容易とする靴の踵部分開閉機構に関する。
【背景技術】
【０００２】
従来のこの種の靴としては特開平１１−１２７９０７号公報（特許文献１参照）に示されたような、足の踵部が載置される踵底部と、該踵底部の後部に立設して足の踵部後面を覆って当接する靴の当接片とを略直角に一体に結合した踵受け台を形成し、該踵受け台の踵底部と当接片の後端部に回動軸を埋設し、踵受け台が回動軸を中心にして回動するように構成したものが知られている。
そして、踵底部の中心部に弾性体バネを固着して踵底部を上方に押し上げるように弾性を保持し、かつ前記踵底部の先端に設けたフック突出部と係止する靴踵部のフック係止部を設けてある。
【先行技術文献】
【特許文献】
【０００３】
【特許文献１】特開平１１−１２７９０７号公報
【発明の概要】
【発明が解決しようとする課題】
【０００４】
しかしながら、特開平１１−１２７９０７号公報（特許文献１参照）の第１発明（図１、図２）、第２発明（図３〜図６）および第３発明（図７、図８）においては踵を収納するＬ字形部分は靴を履いた状態における確実な保持手段がなく、常に弾性体バネに押されてＬ字形部分に開こうとする力が作用し、履き心地が悪いという問題点があった。
また第４発明（図９、図１０）および第５発明（図１１、図１２）においては押しボタンが靴の側面に突出しているために、歩行中等に靴が押しボタンに接触して誤動作が起きやすいという問題点があった。
【０００５】
そこでこの発明は、足の踵部を楽に抜くことかでき、足を靴から容易に離脱することができる構造の靴の踵部分開閉機構であって、踵を収納する踵ホルダが靴を履いた状態において確実に保持されるので履き心地にはなんら問題がなく、また前記第４発明（図９、図１０）および第５発明（図１１、図１２）のような靴の側面に突出する押しボタンがないので、歩行中等に靴が押しボタンに接触して誤動作が起きるという問題もない靴の踵部分開閉機構を提供することを目的とするものである。
【課題を解決するための手段】
【０００６】
すなわちこの発明の靴の踵部分開閉機構は、靴の踵部分に収納され、足の踵部が保持される足底部と足後部とからなるＬ字形の踵ホルダと、該踵ホルダをその後端部に取り付けた回動軸によって回動可能に保持する踵受け台と、該踵受け台上に設けた前記踵ホルダの足底部を常態で上向きに付勢する踵ホルダ弾性支持部材と、前記踵受け台を前後に移動可能に取り付けた靴踵部を有し、
前記踵受け台と靴踵部の前方位置との間に弾性体バネを固着して、前記踵受け台を前方に引き付けるように付勢し、
前記踵ホルダ弾性支持部材の下面に下向きに設けたフックは、前記踵ホルダの足底部を使用者が踵で踏み込んだ際に、前記靴踵部の上面に設けた前記フックの係合部に係合して前記踵ホルダを正常位置に保持し、
かつ、前記踵受け台を前記弾性体バネの付勢力に抗して後退させて、前記フックを係合部から解放することにより、前記踵ホルダの足底部を前記踵ホルダ弾性支持部材により上方に押し上げて靴の足挿入口を開き、足を靴に納めやすい角度にすることができるようにしたことを特徴とするものである。
【０００７】
この発明の靴の踵部分開閉機構において、前記フックの係合部は、靴踵部の上面に配設したガイド部と、該ガイド部間にスライド自在に差し渡した係合ピンと、該係合ピンを常態でフックに向けて付勢するバネとを有することをも特徴とするものである。
【０００８】
この発明の靴の踵部分開閉機構において、前記踵受け台は、左右一対のスライド部を有するＵ字状に形成され、前記靴踵部の上面に形成したスライド溝に進退可能に取り付けられていることをも特徴とするものである。
【０００９】
この発明の靴の踵部分開閉機構において、前記踵ホルダ弾性支持部材は、前記靴踵部と該靴踵部と所定の間隔をおいて配置した弾性体バネの保持バーとの間に介装したのち折り返されていることをも特徴とするものである。
【００１０】
この発明の靴の踵部分開閉機構において、前記靴の後端部分は、前記踵ホルダの回動に伴って伸縮自在としてあることをも特徴とするものである。
【発明の効果】
【００１１】
以上の説明から既に明らかなように第１発明の靴の踵部分開閉機構は、踵を収納する踵ホルダが靴を履いた状態において確実に保持されるので履き心地にはなんら問題がなく、また靴の側面に押しボタン等の余分の突起物がないので、歩行中等に靴の一方が他方の靴の押しボタン等に接触して誤動作が起きるという問題もない。
【００１２】
第２発明の靴の踵部分開閉機構は、前記フックの係合部が靴踵部の上面に配設したガイド部と、該ガイド部間にスライド自在に差し渡した係合ピンと、該係合ピンを常態でフックに向けて付勢するバネとを有するので、フックと係合ピンの着脱が確実かつ迅速に行うことができる。
【００１３】
第３発明の靴の踵部分開閉機構は、前記踵受け台が左右一対のスライド部を有するＵ字状に形成され、前記靴踵部の上面に形成したスライド溝に進退可能に取り付けられているので、前記踵受け台の進退がスムーズであり、かつ前記踵ホルダの回動機構等になんらの支障もきたすことがない。
【００１４】
第４発明の靴の踵部分開閉機構は、前記踵ホルダ弾性支持部材が前記靴踵部と該靴踵部と所定の間隔をおいて配置した弾性体バネの保持バーとの間に介装したのち折り返されているので、前記踵ホルダ弾性支持部材の取り付けがコンパクトでかつ合理的に行うことができる。
【００１５】
第５発明の靴の踵部分開閉機構は、前記靴の後端部分が前記踵ホルダの回動に伴って伸縮自在としてあり、この発明の目的とする靴の履きやすさはもちろん、靴としての基本的な機能を損なうことがない。
【図面の簡単な説明】
【００１６】
【図１】この発明の靴の踵部分開閉機構を適用した靴を示し、踵ホルダを開いた状態の斜視図である。
【図２】踵ホルダを開いた状態の斜視図である。
【図３】この発明の靴の踵部分開閉機構を示し、踵ホルダを正常位置に保持した状態の断面図である。
【図４】踵ホルダを開いた状態の断面図である。
【図５】踵ホルダ弾性支持部材が開いている状態の靴の踵部分開閉機構の斜視図である。
【図６】踵ホルダ弾性支持部材が閉じている状態の靴の踵部分開閉機構の斜視図である。
【図７】踵受け台と靴踵部とを分離した状態の斜視図である。
【図８】（ａ）は各部をさらに分離した状態の斜視図、（ｂ）はスライドの前後を示す斜視図である。
【図９】踵受け台を靴踵部上において後退させた状態の斜視図である。
【図１０】図１０から図１３は靴を履くときの靴の踵部分開閉機構の動きを説明するためのものであり、図１０は踵ホルダ弾性支持部材が開いている状態の靴の踵部分開閉機構の断面図である。
【図１１】踵ホルダ弾性支持部材が閉じつつある状態の断面図である。
【図１２】踵ホルダ弾性支持部材が閉じる直前の状態の断面図である。
【図１３】踵ホルダ弾性支持部材が閉じた状態の断面図である。
【図１４】図１４から図１７は靴を脱ぐときの靴の踵部分開閉機構の動きを説明するためのものであり、図１４は踵ホルダ弾性支持部材が閉じた状態の靴の踵部分開閉機構の断面図である。
【図１５】踵受け台が靴踵部上を後退している状態の靴の踵部分開閉機構の断面図である。
【図１６】踵ホルダ弾性支持部材が開いた状態の断面図である。
【図１７】踵受け台が靴踵部上の元の位置に復帰した状態の断面図である。
【発明を実施するための形態】
【００１７】
以下図面に基いて、この発明の靴の踵部分開閉機構の実施の形態を詳細に説明する。
図１および図２に示すように、この発明の靴の踵部分開閉機構を適用した靴においては、靴１１を履く時は、靴１１の踵ホルダ１２が常時は上方に撥ね上げられ、さらに靴１１の踵部が開いてあるので足先を挿入し易く、足の踵を挿入するときも踵ホルダ１２は踵の押し込みによって自動的に回動して、正常位置に保持することができる。
このようにして、靴１１の踵部が足裏に密着して、身体を屈めることなくそのままの姿勢で靴１１を履くことができ、靴べら等の補助具を不要とすることができる。
図において１４は、靴１１の後端部分１３の両側に設けたゴム等の弾性素材からなる伸縮部材で、前記踵ホルダ１２の回動に伴って伸縮するよう構成されている。
【実施例】
【００１８】
以下、この発明の靴の踵部分開閉機構の１実施例を詳細に説明する。
この実施例の靴の踵部分開閉機構は図３ないし図７に示すように、靴の踵部分に収納され、足の踵部が保持される足底部２２と足後部２３とからなるＬ字形の踵ホルダ２１と、該踵ホルダ２１をその後端部に取り付けた回動軸２４によって回動可能に保持する踵受け台２５とを備えている。
【００１９】
さらに前記踵受け台２５は、図８（ａ）に示すように左右一対のスライド部２６を有するＵ字状に形成され、靴踵部３１の上面に形成した前記各スライド部２６に対応するスライド溝３２に進退可能に取り付けられている。
前記スライド溝３２は、靴踵部３１の上面に取り付けた左右一対のスライドガイド３３からなり、Ｕ字状の踵受け台２５に対応する外形を備えた、金属その他の素材からなる硬質部材２７をこのスライドガイド３３にはめ込んで進退可能としてある。
【００２０】
なお、前記硬質部材２７の両側面は上つぼまりのテーパ状に形成され、前記スライドガイド３３の対向する側面は前記テーパに対応するテーパ状に形成されている。
したがって図８（ｂ）に示すように、靴踵部３１上面のスライドガイド３３内を硬質部材２７が進退するのである。
【００２１】
前記踵ホルダ２１の足底部２２は、前記靴踵部３１上面の左右一対のスライド溝３２間に設けた踵ホルダ弾性支持部材４１によって常態で上向きに付勢されている。
４２は、前記踵ホルダ弾性支持部材４１の下面に下向きに設けたフックで、前記踵ホルダ２１の足底部２２を使用者が踵で踏み込んだ際に、前記フック４２のかぎ状をなす係合凹部４３が前記靴踵部３１の上面に配設した係合ピン４４に係合し、図３のように前記踵ホルダ２１を使用者が靴１１を履いた正常位置に保持するようになっている。
図において４５は、前記靴踵部３１の上面に設けたフック４２を収納する凹所である。
【００２２】
前記踵ホルダ弾性支持部材４１は、前記靴踵部３１と該靴踵部３１と所定の間隔をおいて配置した弾性体バネの保持バー２８との間に差し込んだのち折り返されており、常態で前記踵ホルダ２１を上向きに付勢するよう機能するのである。したがって、前記フック４２のかぎ状をなす係合凹部４３と前記係合ピン４４との係合が解かれると、図４に示すように前記踵ホルダ２１の足底部２２は前記踵ホルダ弾性支持部材４１により上方に押し上げられ、靴の足挿入口を開いて足を靴に納めやすい角度にすることができる。
【００２３】
前記フック４２の係合部は、図３ないし図６に示すように前記靴踵部３１の上面に配設した一端を開放したガイド部５１と、該ガイド部５１間にスライド自在に差し渡した係合ピン４４と、該係合ピン４４を常態で前記フック４２に向けて付勢するバネ５２とを有するものである。
したがって、前記係合ピン４４がバネ５２によって前記フック４２側に押し込まれると、前記係合ピン４４はガイド部５１の開口部５３から露出するので、前記係合ピン４４は前記フック４２に係合可能となる。
【００２４】
図９は、前記踵受け台２５を前後に移動可能に取り付けた靴踵部３１を示し、前記踵受け台２５はその内側端部に設けた保持バー２８に弾性体バネ６１を固着して前方に引き付けるように付勢されている。
したがって、図３のように前記踵ホルダ２１の足底部２２を使用者が踵で踏み込んだ状態では、図６のように前記踵受け台２５は前方に引き付けられているので、前記フック４２の係合凹部４３は係合ピン４４に係合したままである。
次に図９のように、前記踵受け台２５を前記弾性体バネ６１の付勢力に抗して後退させると、前記フック４２は係合ピン４４との係合を解かれ、前記踵ホルダ２１の足底部２２は前記踵ホルダ弾性支持部材４１により上方に押し上げられる。
【００２５】
図１０ないし図１３は靴を履くときの靴の踵部分開閉機構の動きを説明するためのものである。
＜図１０＞
前記踵ホルダ２１の足底部２２が前記踵ホルダ弾性支持部材４１により上方に押し上げられた状態である。
＜図１１＞
そこで前記踵ホルダ２１の足底部２２を足の踵で押し込むと、前記踵ホルダ弾性支持部材４１の前記フック４２の先端は係合ピン４４に当接する。
＜図１２＞
さらに前記踵ホルダ２１の足底部２２を足の踵で押し込むと、前記踵ホルダ弾性支持部材４１の前記フック４２の先端が係合ピン４４を矢印Ａ方向に後退させる。
＜図１３＞
前記踵ホルダ２１の足底部２２を足の踵で最後まで押し込むと、前記踵ホルダ弾性支持部材４１の前記フック４２の先端に向けて（矢印Ｂ）係合ピン４４が移動して係合し、前記踵ホルダ弾性支持部材４１は前記踵ホルダ２１の足底部２２を押し上げなくなって、前記踵ホルダ２１は靴を履いた正常位置に保持される。
【００２６】
図１４ないし図１７は靴を脱ぐときの靴の踵部分開閉機構の動きを説明するためのものである。
＜図１４＞
前記踵ホルダ弾性支持部材４１下部のフック４２の先端に係合ピン４４が係合し、前記踵ホルダ２１は靴を履いた正常位置に保持された状態である。
＜図１５＞
そこで、前記踵受け台２５に矢印Ｃの後退方向の負荷を掛けて前記弾性体バネ６１の付勢力に抗して後退させると、前記フック４２は係合ピン４４との係合を解かれる。
＜図１６＞
その際、前記踵ホルダ２１の足底部２２は前記踵ホルダ弾性支持部材４１により上方に押し上げられた状態となる。
＜図１７＞
同時に、前記踵受け台２５は前記弾性体バネ６１によって矢印Ｄの方向に引き付けられ、元の位置（図１４）に戻る。
【産業上の利用可能性】
【００２７】
この発明の靴の踵部分開閉機構は、通常の紳士靴のみならず婦人靴やその他の踵部分を立設した履物類のみならず、革靴、ゴム靴、スニーカーその他の履物にも適用できることはいうまでもない。
【符号の説明】
【００２８】
１１  靴
１２  踵ホルダ
１３  靴の後端部分
１４  伸縮部材
２１  踵ホルダ
２２  足底部
２３  足後部
２４  回動軸
２５  踵受け台
２６  スライド部
２７  硬質部材
２８  保持バー
３１  靴踵部
３２  スライド溝
３３  スライドガイド
４１  踵ホルダ弾性支持部材
４２  フック
４３  係合凹部
４４  係合ピン
４５  凹所
５１  ガイド部
５２  バネ
５３  開口部
６１  弾性体バネ
【図１】
2011234840.tif 000003
【図２】
2011234840.tif 000004
【図３】
2011234840.tif 000005
【図４】
2011234840.tif 000006
【図５】
2011234840.tif 000007
【図６】
2011234840.tif 000008
【図７】
2011234840.tif 000009
【図８】
2011234840.tif 000010
【図９】
2011234840.tif 000011
【図１０】
2011234840.tif 000012
【図１１】
2011234840.tif 000013
【図１２】
2011234840.tif 000014
【図１３】
2011234840.tif 000015
【図１４】
2011234840.tif 000016
【図１５】
2011234840.tif 000017
【図１６】
2011234840.tif 000018
【図１７】
2011234840.tif 000019
【手続補正書】
【提出日】平成22年5月9日(2010.5.9)
【手続補正１】
【補正対象書類名】図面
【補正対象項目名】図５
【補正方法】変更
【補正の内容】
【図５】
2011234840.tif 000020
【手続補正２】
【補正対象書類名】図面
【補正対象項目名】図６
【補正方法】変更
【補正の内容】
【図６】
2011234840.tif 000021
【手続補正３】
【補正対象書類名】図面
【補正対象項目名】図９
【補正方法】変更
【補正の内容】
【図９】
2011234840.tif 000022